(57)【要約】【課題】低コストで耐久性に優れ、操作性に個体ごとのバラツキが少なく、一定の力での操作が可能な回転操作装置を提供する。【解決手段】回転操作ダイヤル２と、回転操作ダイヤル２を回転可能に支持する外装カバー４と、外装カバー４に係止される弾性部材７と、を備える回転操作装置１において、回転操作ダイヤル２は、凹部と凸部とが連続的に周方向に形成されて構成される摩擦摺動部５を内周面に有し、外装カバー４は弾性部材７を係止する２つの突起部１０を有する。弾性部材７は、摩擦摺動部５に対して付勢し、回転操作ダイヤル２が回転操作された際に２つの突起部１０のそれぞれにおいて２か所で線接触しながら摺動する。【選択図】図３
2020198253.tif 000002
【特許請求の範囲】
【請求項１】
有底円筒形状を有する回転操作部材と、
前記回転操作部材を回転可能に支持する支持部材と、
前記支持部材に係止される弾性部材と、を備え、
前記回転操作部材は、凹部と凸部とが連続的に周方向に形成されて構成される摩擦摺動部を内周面に有し、
前記支持部材は、前記弾性部材を係止する複数の突起部を有し、
前記弾性部材は、前記摩擦摺動部に対して付勢し、前記回転操作部材が回転操作された際に前記複数の突起部のそれぞれにおいて対応する位置にある複数箇所で線接触しながら摺動することを特徴とする回転操作装置。
【請求項２】
前記弾性部材は、円弧形状を有し、
前記弾性部材の端部近傍に、前記突起部と係合すると共に前記摩擦摺動部と当接するＵ字形状の係合部が設けられていることを特徴とする請求項１に記載の回転操作装置。
【請求項３】
前記２つの突起部はそれぞれ、円柱形状を有することを特徴とする請求項１又は２に記載の回転操作装置。
【請求項４】
前記支持部材は、前記回転操作部材の回転軸部を支持する軸支持部を有し、
前記２つの突起部は前記軸支持部について対称となる位置に設けられていることを特徴とする請求項３に記載の回転操作装置。
【請求項５】
前記支持部材は、前記突起部と前記軸支持部とを連結する延設部を有し、
前記延設部の幅は前記突起部の外径よりも小さいことを特徴とする請求項４に記載の回転操作装置。
【請求項６】
前記延設部の幅は、前記突起部から前記軸支持部に向けて小さくなっていることを特徴とする請求項５に記載の回転操作装置。
【請求項７】
前記支持部材は、前記弾性部材を係止する２つの突起部を有し、
前記弾性部材は、前記摩擦摺動部に対して付勢し、前記回転操作部材が回転操作された際に前記２つの突起部のそれぞれにおいて対称な位置にある２か所で線接触しながら摺動することを特徴とする請求項１乃至６のいずれか１項に記載の回転操作装置。
【請求項８】
請求項１乃至７のいずれか１項に記載の回転操作装置を備えることを特徴とする電子機器。
【発明の詳細な説明】
【技術分野】
【０００１】
本発明は、回転操作装置及び電子機器に関する。
【背景技術】
【０００２】
電子機器の一例であるデジタルカメラ等の撮像装置には、シャッタスピード優先モードや絞り優先モード、撮影者の好みや撮影シーンに応じた撮影モード等の各種撮影時の撮影モードを設定するための操作部材を有するものが多い。複数の撮影モードの中から撮影時の撮影モードを設定するための装置としては、回転式の操作装置（以下「回転操作装置」という）が広く用いられている。
【０００３】
回転操作装置の一例として、特許文献１には、撮像装置本体に回転可能に取り付けられたダイヤルと、ダイヤルの外縁に連続的に形成された凹凸形状の摩擦摺動部に対してクリック係合する係合部を有する弾性部材とを備える回転操作装置が記載されている。特許文献１に記載された回転操作装置では、ダイヤルを所定位置で安定して静止させるために、弾性部材の係合部の両側にリブが設けられ、且つ、弾性部材が進退する際に弾性部材がダイヤルに衝突しないように逃げ部が設けられている。
【０００４】
また、特許文献２には、撮像装置本体に回転可能に取り付けられたダイヤルと、ダイヤルの外縁に連続的に形成された凹凸形状の摩擦摺動部に対して軸対称位置でクリック係合する２か所の係合部を有する弾性部材とを備える回転操作装置が記載されている。特許文献２に記載された回転操作装置では、２か所の係合部が撮像装置本体に設けられたリブに対して面接触した状態となっている。
【先行技術文献】
【特許文献】
【０００５】
【特許文献１】特開２００９−１７６４７０号公報
【特許文献２】特開２０１５−３２３７５号公報
【発明の概要】
【発明が解決しようとする課題】
【０００６】
しかしながら、上記特許文献１に記載された回転操作装置では、弾性部材に設けられた１か所の係合部がダイヤルの外縁と係合する。そのため、ダイヤルが片側に傾きやすくなることで操作感が低下し、また、摩耗により耐久性が低下する等の問題が発生する懸念がある。また、撮影者が所定の撮影モードからダイヤル上の隣の撮影モードに移行するためにダイヤルを回転させた際の中間ポジションでは、弾性部材に設けられた係合部がリブから離れた状態となる。その結果、弾性部材の係合部先端の摩擦力によって係合部に対して屈曲方向の力が作用することで、回転操作中に係合部が破損するおそれがある。
【０００７】
一方、上記特許文献２に記載された回転操作装置では、撮像装置本体にダイヤルの回転軸が挿入される円筒部が設けられ、円筒部にリブが連結されている。そして、弾性部材の両端に設けられた２か所の係合部がリブによって位置決め規制された状態とすることで、上記課題を解決している。
【０００８】
しかしながら、弾性部材は環形状の一部が切り欠かれた円弧形状を有しており、係合部は弾性部材の端部近傍に設けられている。つまり、弾性部材において係合部は片側のみが連結されているため、ダイヤルを回転操作した際に係合部を回転させる力が係合部に掛かる。そのため、弾性部材の係合部が撮像装置本体のリブに対して平行摺動せずに不均一に当接（所謂、片当たり）しながら摩擦摺動することにより、係合部が広がる方向に力が掛かることになる。つまり、弾性部材の係合部に対して不要な力が掛かることで、所望の操作力が得られず、片当たりによる操作力の個体バラツキが発生し、また、ユーザが回転操作中に弾性部材の係合部が破損する等の問題が発生するおそれがある。
【０００９】
本発明は、低コストで耐久性に優れ、操作性に個体ごとのバラツキが少なく、一定の力での操作が可能な回転操作装置を提供することを目的とする。
【課題を解決するための手段】
【００１０】
本発明に係る回転操作装置は、有底円筒形状を有する回転操作部材と、前記回転操作部材を回転可能に支持する支持部材と、前記支持部材に係止される弾性部材と、を備え、前記回転操作部材は、凹部と凸部とが連続的に周方向に形成されて構成される摩擦摺動部を内周面に有し、前記支持部材は、前記弾性部材を係止する複数の突起部を有し、前記弾性部材は、前記摩擦摺動部に対して付勢し、前記回転操作部材が回転操作された際に前記複数の突起部のそれぞれにおいて対応する位置にある複数箇所で線接触しながら摺動することを特徴とする。
【発明の効果】
【００１１】
本発明によれば、低コストで耐久性に優れ、操作性に個体ごとのバラツキが少なく、一定の力での操作が可能な回転操作装置を提供することができる。
【図面の簡単な説明】
【００１２】
【図１】本発明の実施形態に係る撮像装置の上面図である。
【図２】回転操作装置と、回転操作装置が配置される撮像装置の外装カバーの構造を示す分解斜視図である。
【図３】回転操作装置を構成する回転操作ダイヤルが回転操作された際のクリック動作を説明する側面図及び断面図である。
【図４】図３の回転操作装置の変形例を説明する断面図である。
【発明を実施するための形態】
【００１３】
以下、本発明の実施形態について添付図面を参照して詳細に説明する。ここでは、本発明に係る回転操作装置を備える電子機器の一例として撮像装置を取り上げることとする。但し、本発明に係る回転操作装置を備える電子機器は、撮像装置に限定されるものではない。
【００１４】
図１は、本発明の実施形態に係る撮像装置１００の上面図である。撮像装置１００の上面には、撮像装置１００が備える複数の撮影モードの中から容易に所望の撮影モードを設定するための回転操作装置１が配置されている。撮像装置１００が備える複数の撮影モードには、例えば、露出制御を撮像装置１００の制御装置による制御に委ねるオート撮影モードや、撮影者がシャッタスピードや絞りを所望の値に設定することが可能なマニュアル撮影モード等がある。
【００１５】
回転操作装置１は、ユーザによる回転操作の対象となる回転操作ダイヤル２（回転操作部材）を有する。回転操作ダイヤル２の上面には、設定可能な撮影モードを模式的に示す画像が所定の回転角度毎に印刷等により表記されている。また、撮像装置１００の上面の回転操作ダイヤル２に隣接した位置には、印刷等により指標部３が表記されている。ユーザは、回転操作ダイヤル２を回転操作して、所望の撮影モードを表す回転操作ダイヤル２上の画像を指標部３に合わせる。これにより、撮像装置１００の撮影モードは、指標部３と対向する回転操作ダイヤル２上の画像に対応する撮影モードに設定される。なお、図１には、オート撮影モードに設定された状態が示されている。
【００１６】
図２は、回転操作装置１と、回転操作装置１が配置される撮像装置１００の外装カバー４の構造を示す分解斜視図である。図２（Ａ）は撮像装置１００の外観側から見た分解斜視図であり、図２（Ｂ）は撮像装置１００の内部側から見た分解斜視図である。
【００１７】
回転操作ダイヤル２は、略有底円筒形状を有する。回転操作ダイヤル２の外周面は、ユーザによる回転操作の際の滑り止めとして機能する微細な凹凸が形成されている。一方、回転操作ダイヤル２の内周面には周方向全体（３６０度）にわたって、連続的に凹部５ａと凸部５ｂとが連続的に形成された摩擦摺動部５が設けられている。摩擦摺動部５は、図２（Ｂ）に示すように、例えば、回転操作ダイヤル２の回転中心から摩擦摺動部５までの距離ｒが角度θに応じて正弦波を描いて変化するように、滑らかな波形の形状を有する。
【００１８】
回転操作ダイヤル２の内側中央部には、略円柱形状を有する回転軸部６が設けられている。また、回転操作ダイヤル２の内側には、板状部材を略円弧状に成形してなる、バネ性を有する弾性部材７（付勢部材）が設けられている。弾性部材７の各端部の近傍には、回転中心軸の軸方向から見た際の形状が略Ｕ字形状で外周側に突出する（外周側が閉じ、内周側が開いた）係合部８が形成されている。２か所の係合部８は、外装カバー４に取り付けた状態で回転軸部６について対称となり、且つ、弾性部材７が線対称の形状となるように形成されている。２か所の係合部８は、摩擦摺動部５に対して付勢力を与えてクリック係合する。２か所の係合部８が摩擦摺動部５の凹部５ａと当接した状態で回転操作ダイヤル２は安定し、この状態で所定の撮影モードが設定される。
【００１９】
外装カバー４は、回転操作ダイヤル２を回転可能に支持する支持部材である。外装カバー４において回転操作ダイヤル２が配置される位置には、回転操作ダイヤル２の回転軸部６が挿入されて回転軸部６を回転可能に支持するダイヤル支持部９（軸支持部）が略円筒形状で設けられている。また、外装カバー４において、ダイヤル支持部９の外周側には、ダイヤル支持部９に対して対称となる２か所に、弾性部材７を係止させる被係止部としての突起部１０が略円柱形状で形成されている。突起部１０の軸方向は、ダイヤル支持部９の軸方向と略平行となっている。
【００２０】
なお、突起部１０は２か所に形成されているが、以下の説明では、特に明記する必要がある場合を除いて、２か所の突起部１０を区別せずに単に「突起部１０」と記し、２か所の係合部８についても同様に「係合部８」と記す。
【００２１】
弾性部材７の１か所の係合部８は１か所の突起部１０に係止される。つまり、弾性部材７の係合部８の内壁面８ｂと突起部１０とが、突起部１０の軸方向において線接触することによって、外装カバー４に対する弾性部材７の位置が規制される。
【００２２】
回転操作ダイヤル２と弾性部材７が外装カバー４に取り付けられた状態では、係合部８の先端（外周側の閉じた先端）は、突起部１０との間に一定の空隙が設けられた状態で外周側へ突出しており、係合部８の外壁面８ａは常に摩擦摺動部５と当接している。つまり、弾性部材７は、突起部１０によって位置が規制された状態で、係合部８の外壁面８ａが常に摩擦摺動部５と当接する方向（回転操作ダイヤル２の径方向において中心から外側に向かう方向）に付勢された状態となる。よって、回転操作ダイヤル２が回転操作されると、係合部８の先端が当接する摩擦摺動部５の凹凸形状（凹部５ａ、凸部５ｂ）に応じて、突起部１０により位置規制された状態で弾性部材７が撓むことで、クリック感が発生する。
【００２３】
なお、係合部８が摩擦摺動部５の凹部５ａと当接した状態において、突起部１０は、係合部８を連結する円弧形状部７ａ（図３参照）が描く円弧よりも外側に位置していることが望ましい。これにより、突起部１０に対して係合部８を外れ難くすることができる。
【００２４】
外装カバー４の裏面側（撮像装置１００の内部側）には、撮影モードの位相を判別するための導電パターン１２がプリントされたフレキシブル基板１１が不図示の両面テープ等を用いて取り付けられている。また、フレキシブル基板１１の導電パターン１２と接触する複数の接点部１４を有する位相接片１３が円盤状の補強部材１５に固定されており、補強部材１５は締結部材１６によって回転操作ダイヤル２に固定されている。これにより、回転操作ダイヤル２が回転操作されると、位相接片１３と補強部材１５は、回転操作ダイヤル２と一体的に回転する。
【００２５】
位相接片１３は、例えば、加締め加工により、補強部材１５に固定される。位相接片１３は、弾性を有する導電性材料で形成されており、複数の接点部１４は、回転中心軸の軸方向において弾性（バネ性）を備える屈曲形状を有する。補強部材１５は、例えば、樹脂で形成されている。
【００２６】
図３は、回転操作ダイヤル２が回転操作された際の回転操作装置１のクリック動作を説明する図である。図３（Ａ）は、回転操作装置１の側面図である。図３（Ｂ）は、図３（Ａ）に示す矢視Ａ−Ａでの断面図であり、回転操作ダイヤル２が安定して停止して、所定の撮影モードが選択されている状態を示している。図３（Ｃ）は、図３（Ａ）に示す矢視Ａ−Ａでの断面図であり、撮影モードを変更するために回転操作ダイヤル２が回転操作されている途中（中間）の状態を示している。
【００２７】
回転操作ダイヤル２において、摩擦摺動部５は１２か所ずつの凹部５ａと凸部５ｂを有する。弾性部材７が回転操作ダイヤル２に組み込まれた状態（回転操作装置１が組み付けられた状態）において、弾性部材７の係合部８は、回転操作ダイヤル２の回転中心から外周側へ向かって開く方向で摩擦摺動部５を付勢している。よって、図３（Ｂ）に示すように、係合部８の先端部が摩擦摺動部５の凹部５ａに嵌まる（当接する）ことで、回転操作ダイヤル２を安定した位置で停止させることができる。回転操作ダイヤル２が安定した位置で停止している状態では、係合部８の内壁面８ｂが外装カバー４に設けられた突起部１０と接触している。ここで、図３（Ｂ）に示すように突起部１０は略円柱形状を有するため、係合部８の内壁面８ｂと突起部１０とは略対称位置で線接触した状態となっている。
【００２８】
回転操作ダイヤル２が回転操作されると、図３（Ｃ）に示すように、弾性部材７の係合部８の先端部が摩擦摺動部５の凸部５ｂに乗り上がる。ここで、弾性部材７では、弓なりに湾曲した円弧形状部７ａの端部近傍に係合部８が設けられている。換言すれば、２か所の係合部８は円弧形状部７ａによって連結されている。そのため、図３（Ｂ）の状態から回転操作ダイヤル２を矢印Ｘに示す方向に回転操作した場合、係合部８は摩擦摺動部５によって矢印Ｐ方向に摩擦力を受ける。
【００２９】
その後、回転操作ダイヤル２の回転操作を進めると、弾性部材７の係合部８と摩擦摺動部５の当接点の位置がシフトして、矢印Ｐの向きが徐々に図３（Ｂ）の左右方向に変化していく。このとき、２か所の係合部８は、円弧形状部７ａによって連結されているため、回転操作ダイヤル２の中心方向に向かって左右方向に移動せずに、突起部１０に対して矢印Ｑ方向に回転摺動する。その結果、図３（Ｃ）の状態では、２か所の係合部８のそれぞれに矢印Ｑ方向に回転力が発生し、２か所の係合部８はそれぞれ、左右方向に移動せずに、突起部１０に対して回転しながら摺動する。
【００３０】
このとき、突起部１０は円筒形状であるため、弾性部材７の係合部８が突起部１０に対して回転摺動しても、係合部８の内壁面８ｂと突起部１０とは常に対称な位置で線接触した状態となっている。そのため、係合部８が突起部１０に対して片当たりする状況は発生せず、周方向において係合部８の幅を広げる力（係合部８の内周側の開口を開く力）が係合部８に作用することはない。その結果、係合部８に過度な負荷が掛かることがなく、係合部８と摩擦摺動部５はスムーズに摺動することが可能となる。
【００３１】
回転操作ダイヤル２を更に回転操作すると、弾性部材７の係合部８が摩擦摺動部５の凹部５ａに落ち込むことによって弾性部材７が振幅移動し、バネとして機能することでクリック感が生じる。
【００３２】
以上の説明の通り、回転操作装置１によれば、回転操作ダイヤル２を回転操作した際に、回転途中に回転操作力にバラツキが発生することなく、スムーズな操作が可能となる。また、回転操作装置１は、構造が簡単であるため低コストでの製造が可能であり、また、弾性部材７の係合部８が突起部１０に対して片当たりしないため、高い耐久性を実現することができる。
【００３３】
次に、上述した回転操作装置１の変形例について説明する。図４は、外装カバー４の変形例の構成を、図３（Ｃ）と同様の断面で表した図である。突起部１０は、延設部１７によって、回転操作ダイヤル２の回転軸が挿入されるダイヤル支持部９と連結されている。これにより、回転操作ダイヤル２が回転操作されて弾性部材７の係合部８と突起部１０とが摺動する際に突起部１０に掛かる負荷は、突起部１０と延設部１７が受ける。よって、突起部１０のみで負荷を受ける場合と比較して、回転操作装置の寿命及び信頼性を向上させることが可能になる。また、外装カバー４は、一般的に樹脂成形により作製されるため、延設部１７によって突起部１０とダイヤル支持部９とを連結することで、樹脂成形時の充填不良の発生を抑制し、確実にダイヤル支持部９、突起部１０及び延設部１７を形成することが可能となる。
【００３４】
図４の構成においても、図３（Ｃ）を参照して説明したように、回転操作ダイヤル２が回転操作されると、弾性部材７の係合部８はそれぞれ、ダイヤル支持部９のある中心方向に向かって左右方向に移動せずに突起部１０に対して矢印Ｑ方向に回転摺動する。このとき、係合部８が突起部１０に対して回転摺動しても、係合部８では内壁面８ｂと突起部１０とが常に対称となる２か所で線接触した状態となる。
【００３５】
ここで、延設部１７の幅（ダイヤル支持部９と突起部１０とを結ぶ方向及びダイヤル支持部９の軸方向と直交する方向での幅）は、突起部１０の外径より小さい値となっている。そのため、弾性部材７の係合部８が回転摺動しても、係合部８の内周側端部（開口側端部）及びの近傍が延設部１７と接触することはなく、よって、係合部８が突起部１０に対して片当たりすることを防止することができる。その結果、延設部１７を設けた構成においても、係合部８に過度な負荷が掛かることがなく、係合部８と摩擦摺動部５はスムーズに摺動することができる。
【００３６】
なお、図４では２か所の延設部１７のそれぞれの幅を、２か所の突起部１０とダイヤル支持部９を結ぶ線に対して対称となる形状としている。しかし、回転操作ダイヤル２の回転操作時に弾性部材７の係合部８の内周側端部及びその近傍が延設部１７と接触することで係合部８と突起部１０とに片当たりが発生するという事態が生じない限りにおいて、このような対称形状とする必要はない。例えば、２か所の延設部１７のうちの一方で、突起部１０の外径よりも幅を小さくする構成としてもよい。また、延設部１７の幅を突起部１０からダイヤル支持部９に向かって徐々に小さくなる形状としてもよい。
【００３７】
以上、本発明をその好適な実施形態に基づいて詳述してきたが、本発明はこれら特定の実施形態に限られるものではなく、この発明の要旨を逸脱しない範囲の様々な形態も本発明に含まれる。更に、上述した各実施形態は本発明の一実施形態を示すものにすぎず、各実施形態を適宜組み合わせることも可能である。
【符号の説明】
【００３８】
１    回転操作装置
２    回転操作ダイヤル
４    外装カバー
５    摩擦摺動部
５ａ    凹部
５ｂ    凸部
６    回転軸部
７    弾性部材
７ａ    円弧形状部
８    係合部
８ａ    外壁面
８ｂ    内壁面
９    ダイヤル支持部
１０  突起部
１７    延設部
１００    撮像装置
【図１】
2020198253.tif 000003
【図２】
2020198253.tif 000004
【図３】
2020198253.tif 000005
【図４】
2020198253.tif 000006